(57)【要約】      （修正有）【課題】端末装置側で拡大表示や縮小表示を行わなくても、表示されるべきレイアウト及びサイズで画像データを画面に表示させる。【解決手段】端末装置の画面の解像度を示す端末情報を取得し、取得された端末情報が示す端末装置の画面の解像度に合ったサイズで、且つ、取得された構造化データが規定する表示レイアウトで、端末装置の画面に複数の表示要素データが表示されるよう当該構造化データが規定する表示要素データの表示サイズを調整することによって表示規定データを生成し、画像データを表示規定データ生成手段によって調整された当該画像データの表示サイズに相当する縦横の画素数の画像データとして所定の画像変換装置によって拡大変換または縮小変換させることによって、変換画像データを生成させ、表示規定データを受信した端末装置から当該表示規定データに含まれる指定情報を受信し、指定情報に対応する変換画像データを端末装置に送信する。【選択図】図４
2010097291.tif 000002
【特許請求の範囲】
【請求項１】
画面に表示される表示情報を構成する複数の表示要素データを、当該複数の表示要素データの表示レイアウト及び表示サイズを規定し、且つ、当該複数の表示要素データに含まれる画像データを指定する指定情報を規定する表示規定データに基づいて画面に表示する端末装置に、前記表示規定データと前記画像データとを送信する情報送信装置であって、
前記端末装置の画面の解像度を少なくとも示す端末情報を取得する端末情報取得手段と、
前記複数の表示要素データの表示レイアウト及び表示サイズを構造的に規定し、且つ、前記指定情報を含む構造化データを取得する構造化データ取得手段と、
前記取得された端末情報が示す前記端末装置の画面の解像度に合ったサイズで、且つ、前記取得された構造化データが規定する前記表示レイアウトで、前記端末装置の画面に前記複数の表示要素データが表示されるよう、当該構造化データが規定する前記表示要素データの表示サイズを調整することによって、前記表示規定データを生成する表示規定データ生成手段と、
前記画像データを、前記表示規定データ生成手段によって調整された当該画像データの前記表示サイズに相当する縦横の画素数の画像データとして所定の画像変換装置によって拡大変換または縮小変換させることによって、変換画像データを生成させる画像変換制御手段と、
前記端末装置から前記表示規定データの要求を示す表示規定データ要求情報を受信する表示規定データ要求受信手段と、
前記受信された表示規定データ要求情報に対応する前記表示規定データを前記端末装置に送信する表示規定データ送信手段と、
前記表示規定データを受信した前記端末装置から、当該表示規定データに含まれる前記指定情報を受信する指定情報受信手段と、
前記受信された指定情報に対応する前記変換画像データを前記端末装置に送信する変換画像データ送信手段と、
を備えることを特徴とする情報送信装置。
【請求項２】
請求項１に記載の情報送信装置において、
前記表示規定データ生成手段は、前記調整手段によって調整された前記画像データの前記表示サイズと、当該画像データを識別するための画像データ識別情報と、を示す情報を、当該画像データの前記指定情報中に設定して前記表示規定データを生成し、
前記変換制御手段は、変換対象の前記画像データ及び変換後の縦横の画素数を、前記指定情報受信手段によって受信された前記指定情報に基づいて認識することを特徴とする情報送信装置。
【請求項３】
請求項２に記載の情報送信装置において、
前記調整手段によって調整された前記画像データの表示サイズと、当該画像データの前記画像データ識別情報と、を含む変換情報を生成する変換情報生成手段と、
前記生成された変換情報を識別するための変換識別情報を生成する変換識別情報生成手段と、
前記生成された変換情報を前記生成された変換識別情報に対応付けて記憶手段に記憶させる記憶制御手段と、
を更に備え、
前記表示規定データ生成手段は、前記生成された変換識別情報を、当該変換識別情報が対応する前記画像データの前記指定情報中に設定して前記表示規定データを生成し、
前記変換制御手段は、変換対象の前記画像データ及び変換後の縦横の画素数を、前記指定情報受信手段によって受信された前記指定情報に含まれる前記変換識別情報に対応する前記変換情報に基づいて認識することを特徴とする情報送信装置。
【請求項４】
請求項３に記載の情報送信装置において、
前記変換識別情報生成手段は、前記生成された変換情報と同一内容の前記変換情報が前記記憶手段に記憶されている場合には、記憶されている当該同一内容の前記変換情報に対応する前記変換識別情報を取得し、
前記表示規定データ生成手段は、前記取得された変換識別情報を前記指定情報中に設定することを特徴とする情報送信装置。
【請求項５】
請求項１に記載の情報送信装置において、
前記画像変換装置によって生成された前記変換画像データを識別するための変換画像データ識別情報を生成する画像データ識別情報生成手段と、
前記生成された変換画像データ識別情報に対応付けて前記変換画像データを記憶手段に記憶させる記憶制御手段と、
を更に備え、
前記表示規定データ生成手段は、前記生成された変換画像データ識別情報を、当該変換画像データ識別情報が対応する前記変換画像データの生成元の前記画像データの前記指定情報中に設定して前記表示規定データを生成し、
前記変換画像データ送信手段は、前記受信された指定情報に含まれる前記変換画像データ識別情報に対応する前記変換画像データを前記記憶手段から取得し前記端末装置に送信することを特徴とする情報送信装置。
【請求項６】
請求項１乃至５の何れか１項に記載の情報送信装置において、
前記画像データのデータサイズを取得するデータサイズ取得手段を更に備え、
前記変換制御手段は、前記画像データの画素数をｎ１、当該画像データのデータサイズをｓ１、当該画像データに基づいて生成される前記変換画像データの画素数をｎ２、当該変換画像データのデータサイズをｓ２とするとき、
ｓ２≦ｓ１×（ｎ２／ｎ１）
となるように、前記画像変換装置に前記変換画像データを生成させることを特徴とする情報送信装置。
【請求項７】
請求項１乃至６の何れか１項に記載の情報送信装置において、
前記端末情報は、前記端末装置の種類を示す情報及び当該端末装置の動作環境を示す情報の少なくとも何れか一方を含み、
前記画像変換制御手段は、前記端末情報に基づいて、前記端末装置が表示可能なデータフォーマットの前記変換画像データを前記画像変換手段に生成させることを特徴とする情報送信装置。
【請求項８】
請求項１乃至７の何れか１項に記載の情報送信装置において、
前記表示規定データ生成手段は、前記取得された端末情報が示す画面の解像度に合わせて、前記取得された構造化データが規定する前記表示要素データの表示レイアウト及び表示サイズを調整することを特徴とする情報送信装置。
【請求項９】
請求項１乃至８の何れか１項に記載の情報送信装置において、
前記表示規定データ生成手段は、前記表示サイズとして、前記複数の表示要素データのうち前記画像データ以外の表示サイズを規定する前記表示規定データを生成することを特徴とする情報送信装置。
【請求項１０】
請求項１乃至９の何れか１項に記載の情報送信装置において、
前記構造化データは、ＸＭＬ（Extensible Markup Language）文書を含み、
前記表示規定データは、ＨＴＭＬ（HyperText Markup Language）文書またはＸＨＴＭＬ（Extensible HyperText Markup Language）文書を含むものであり、
前記指定情報は、ｉｍｇ要素のｓｒｃ属性に設定されるＵＲＩ（Uniform Resource Identifier）であることを特徴とする情報送信装置。
【請求項１１】
画面に表示される表示情報を構成する複数の表示要素データを、当該複数の表示要素データの表示レイアウト及び表示サイズを規定し、且つ、当該複数の表示要素データに含まれる画像データを指定する指定情報を規定する表示規定データに基づいて画面に表示する端末装置と、
前記端末装置に前記表示規定データと前記画像データとを送信する情報送信装置と、
を含む情報送信システムであって、
前記情報送信装置は、
前記端末装置の画面の解像度を少なくとも示す端末情報を取得する端末情報取得手段と、
前記複数の表示要素データの表示レイアウト及び表示サイズを構造的に規定し、且つ、前記指定情報を含む構造化データを取得する構造化データ取得手段と、
前記取得された構造化データが規定する前記表示レイアウトで前記端末装置の画面に前記複数の表示要素データが表示されるよう、当該構造化データが規定する前記表示要素データの表示サイズを前記取得された端末情報に基づいて調整することによって、前記表示規定データを生成する表示規定データ生成手段と、
前記画像データを、前記表示規定データ生成手段によって調整された当該画像データの前記表示サイズに相当する縦横の画素数の画像データとして所定の画像変換装置によって拡大変換または縮小変換させることによって、変換画像データを生成させる画像変換制御手段と、
前記端末装置から前記表示規定データの要求を示す表示規定データ要求情報を受信する表示規定データ要求受信手段と、
前記受信された表示規定データ要求情報に対応する前記表示規定データを前記端末装置に送信する表示規定データ送信手段と、
前記表示規定データを受信した前記端末装置から、当該表示規定データに含まれる前記指定情報を受信する指定情報受信手段と、
前記受信された指定情報に対応する前記変換画像データを前記端末装置に送信する変換画像データ送信手段と、
を備え、
前記端末装置は、
前記表示規定データ要求情報を前記情報送信装置に送信する表示規定データ要求送信手段と、
前記情報送信装置から前記表示規定データを受信する表示規定データ受信手段と、
前記受信された表示規定データに含まれる前記指定情報を前記情報送信装置に送信する指定情報送信手段と、
前記情報送信装置から前記変換画像データを受信する変換画像データ受信手段と、
前記受信された表示規定データが規定する前記表示レイアウト及び表示サイズで、前記受信された変換画像データを含む前記複数の表示要素データを画面に表示する表示手段と、
を備えることを特徴とする情報送信システム。
【請求項１２】
画面に表示される表示情報を構成する複数の表示要素データを、当該複数の表示要素データの表示レイアウト及び表示サイズを規定し、且つ、当該複数の表示要素データに含まれる画像データを指定する指定情報を規定する表示規定データに基づいて画面に表示する端末装置に、前記表示規定データと前記画像データとを送信する情報送信装置に含まれるコンピュータを、
前記端末装置の画面の解像度を少なくとも示す端末情報を取得する端末情報取得手段と、
前記複数の表示要素データの表示レイアウト及び表示サイズを構造的に規定し、且つ、前記指定情報を含む構造化データを取得する構造化データ取得手段、
前記取得された構造化データが規定する前記表示レイアウトで前記端末装置の画面に前記複数の表示要素データが表示されるよう、当該構造化データが規定する前記表示要素データの表示サイズを前記取得された端末情報に基づいて調整することによって、前記表示規定データを生成する表示規定データ生成手段、
前記画像データを、前記表示規定データ生成手段によって調整された当該画像データの前記表示サイズに相当する縦横の画素数の画像データとして所定の画像変換装置によって拡大変換または縮小変換させることによって、変換画像データを生成させる画像変換制御手段、
前記端末装置から前記表示規定データの要求を示す表示規定データ要求情報を受信する表示規定データ要求受信手段、
前記受信された表示規定データ要求情報に対応する前記表示規定データを前記端末装置に送信する表示規定データ送信手段、
前記表示規定データを受信した前記端末装置から、当該表示規定データに含まれる前記指定情報を受信する指定情報受信手段、及び、
前記受信された指定情報に対応する前記変換画像データを前記端末装置に送信する変換画像データ送信手段、
として機能させることを特徴とする情報提供処理プログラム。
【請求項１３】
画面に表示される表示情報を構成する複数の表示要素データを、当該複数の表示要素データの表示レイアウト及び表示サイズを規定し、且つ、当該複数の表示要素データに含まれる画像データを指定する指定情報を規定する表示規定データに基づいて画面に表示する端末装置に、前記表示規定データと前記画像データとを送信する情報送信装置における情報提供方法であって、
前記端末装置の画面の解像度を少なくとも示す端末情報を取得する端末情報取得工程と、
前記複数の表示要素データの表示レイアウト及び表示サイズを構造的に規定し、且つ、前記指定情報を含む構造化データを取得する構造化データ取得工程と、
前記取得された構造化データが規定する前記表示レイアウトで前記端末装置の画面に前記複数の表示要素データが表示されるよう、当該構造化データが規定する前記表示要素データの表示サイズを前記取得された端末情報に基づいて調整することによって、前記表示規定データを生成する表示規定データ生成工程と、
前記画像データを、前記表示規定データ生成工程において調整された当該画像データの前記表示サイズに相当する縦横の画素数の画像データとして所定の画像変換装置によって拡大変換または縮小変換させることによって、変換画像データを生成させる画像変換制御工程と、
前記端末装置から前記表示規定データの要求を示す表示規定データ要求情報を受信する表示規定データ要求受信工程と、
前記受信された表示規定データ要求情報に対応する前記表示規定データを前記端末装置に送信する表示規定データ送信工程と、
前記表示規定データを受信した前記端末装置から、当該表示規定データに含まれる前記指定情報を受信する指定情報受信工程と、
前記受信された指定情報に対応する前記変換画像データを前記端末装置に送信する変換画像データ送信工程と、
を備えることを特徴とする情報提供方法。
【発明の詳細な説明】
【技術分野】
【０００１】
本発明は、インターネット等のネットワークを介して接続された端末装置に対しコンテンツデータを提示する情報送信装置、情報送信システム、情報提供処理プログラム及び情報提供方法に関し、より詳細には、端末装置の表示画面の解像度に合ったコンテンツデータを提供する技術に関する。
【背景技術】
【０００２】
従来より、例えば、インターネット上のＷＥＢサーバ等のサーバ装置から、公衆回線及びプロバイダを介して接続してきたＰＣ（Personal computer）等の端末装置に対し、映像、画像、音声、及び文字データ等のコンテンツデータを提供（配信）するネットワークシステムが広く知られている。端末装置側では、これにインストールされている例えばＷＥＢブラウザを用いて、提供されたコンテンツデータ等の提示を行うようになっており、これにより、ユーザは、ＰＣ上で所望のコンテンツを視聴することができる。
【０００３】
近年では、ＰＣばかりでなく、携帯電話機及びＰＤＡ（Personal Digital Assistant）等の移動体端末からも、インターネット上のサーバ装置に接続して、コンテンツデータの提供を受けることが可能になっている。更に、最近では、双方向マルチメディア通信サービス用の通信端末であるＳＴＢ（Set Top Box）が接続された、いわゆるインタラクティブ・テレビ（この場合、当該ＳＴＢと当該テレビとを含めて端末装置というものとする）においては、当該ＳＴＢからインターネット上のサーバ装置に接続して、コンテンツデータの提供を受け、それを当該テレビ上で提示可能になっている。
【０００４】
ところで、上記端末装置は、その種類が異なれば画面解像度も異なる場合が多い、また、同一の種類の端末装置であっても（例えば、ＰＣ等）、使用するディスプレイによって画面解像度が異なる場合がある。こうしたことから、それぞれの端末装置の画面解像度に応じた適切なコンテンツが画面に表示されることが望まれる。
【０００５】
こうした観点から、例えば、特許文献１には、コンテンツを構成する素材データの表示形式（表示サイズを含む）を規定する構造化データがデータベースに登録されており、端末装置から取得した端末情報に基づいて、構造化データに規定された表示形式を端末装置に合った表示形式に調整し、表示形式が調整された構造化データのフォーマットをＸＨＴＭＬ（Extensible HyperText Markup Language）フォーマットのページデータに変換して、端末装置に送信する技術が開示されている。また、特許文献１には、表示形式の調整の際、端末情報に含まれる画像解像度に合わせて、画像データの表示エリアの大きさを調整することが記載されている。
【０００６】
その一方で、特許文献２には、画像変換サーバが、携帯電話から画像がリクエストされたときに、リクエストに含まれるUser Agentから携帯電話の機種を判別し、リクエストされた画像ファイルを、画面表示することができる画像の大きさ（縦横の画素数）が機種毎に設定された静止画用設定情報に基づいて変換する技術が開示されている。
【特許文献１】特開２００７−１４９０５２号公報
【特許文献２】特開２００６−１７３９８７号公報
【発明の開示】
【発明が解決しようとする課題】
【０００７】
しかしながら、特許文献１には、ページデータ上での画像データの表示サイズを端末装置の画面解像度に合った表示サイズに調整することは記載されているものの、画像データ自体の変換については言及されてはいない。
【０００８】
ページデータによって規定される画面上における画像データの表示サイズ、すなわち、画像データが表示される領域の縦横の画素数は変更されたのに、画像データ自体の縦横の画素数が変更されていないと、画像データを受信した端末装置が、表示サイズに合わせて画像を拡大または縮小して表示しなければならないが、その拡大・縮小に要する処理の分、端末装置の処理負担が増加する。
【０００９】
また、例えば、端末装置の処理能力や画像データの表示に要する時間の短縮等の観点から、ページデータを表示する際に、画質を良くしたまま画像を拡大・縮小するようなアルゴリズムを端末装置側では採用しにくい場合が多いので、画像を拡大すると粗が目立ったり、縮小すると画像がつぶれるといった、画像の拡大・縮小に伴う画質の劣化が生じる。
【００１０】
また、例えば、端末装置側で画像の縮小表示を行う場合を考えると、端末装置に送信されてくる画像データのデータサイズは、縮小された画像の情報量に見合ったものよりも大きなサイズとなるので、表示される画像の目に見える情報量の割には、通信効率が良くないという面もある。
【００１１】
一方、特許文献２に記載の技術では、１つの機種の携帯電話に対しては、画像の大きさが１つしか設定されていないので、１つのページに複数の画像やその他の情報等が配置されたコンテンツのように、画像毎に大きさが異なったり、同じ画像でも各ページのレイアウトによってその大きさが異なるようなケースには対応することができない。
【００１２】
本発明は、以上の点に鑑みてなされたものであり、ＷＥＢページ等の表示情報を構成する複数の表示要素データの表示レイアウト及び表示サイズを規定するページデータ等の表示規定データと、表示要素データの１つとしての画像データと、を、端末装置の種類や動作環境等毎に予め別々に用意しなくても、様々な端末装置の画面解像度に合ったサイズで且つ表示規定データが規定する表示レイアウトで、画像データを含む複数の表示要素データを端末装置に表示させることを可能とし、尚且つ、端末装置側で拡大表示や縮小表示を行わなくても、表示されるべきレイアウト及びサイズで画像データを画面に表示させることを可能とする情報送信装置、情報送信システム、情報提供処理プログラム及び情報提供方法を提供することを目的とする。
【課題を解決するための手段】
【００１３】
上記課題を解決するために、請求項１に記載の発明は、画面に表示される表示情報を構成する複数の表示要素データを、当該複数の表示要素データの表示レイアウト及び表示サイズを規定し、且つ、当該複数の表示要素データに含まれる画像データを指定する指定情報を規定する表示規定データに基づいて画面に表示する端末装置に、前記表示規定データと前記画像データとを送信する情報送信装置であって、前記端末装置の画面の解像度を少なくとも示す端末情報を取得する端末情報取得手段と、前記複数の表示要素データの表示レイアウト及び表示サイズを構造的に規定し、且つ、前記指定情報を含む構造化データを取得する構造化データ取得手段と、前記取得された端末情報が示す前記端末装置の画面の解像度に合ったサイズで、且つ、前記取得された構造化データが規定する前記表示レイアウトで、前記端末装置の画面に前記複数の表示要素データが表示されるよう、当該構造化データが規定する前記表示要素データの表示サイズを調整することによって、前記表示規定データを生成する表示規定データ生成手段と、前記画像データを、前記表示規定データ生成手段によって調整された当該画像データの前記表示サイズに相当する縦横の画素数の画像データとして所定の画像変換装置によって拡大変換または縮小変換させることによって、変換画像データを生成させる画像変換制御手段と、前記端末装置から前記表示規定データの要求を示す表示規定データ要求情報を受信する表示規定データ要求受信手段と、前記受信された表示規定データ要求情報に対応する前記表示規定データを前記端末装置に送信する表示規定データ送信手段と、前記表示規定データを受信した前記端末装置から、当該表示規定データに含まれる前記指定情報を受信する指定情報受信手段と、前記受信された指定情報に対応する前記変換画像データを前記端末装置に送信する変換画像データ送信手段と、を備えることを特徴とする。
【００１４】
この発明によれば、情報送信装置は、取得した端末情報が示す端末装置の画面の解像度に合ったサイズで、且つ、取得された構造化データが規定する表示レイアウトで、端末装置の画面に前記複数の表示要素データが表示されるよう、構造化データが規定する表示要素データの表示サイズを調整することによって、表示規定データを生成し、複数の表示要素に含まれる画像データを、その調整された表示サイズに相当する縦横の画素数の画像データとして画像変換装置に拡大変換または縮小変換させることによって、変換画像データを生成させ、表示規定データを受信した端末装置から、当該表示規定データに含まれる指定情報を受信すると、当該指定情報が示す画像データに対応して、生成した変換画像データを端末装置に送信する。そして、端末装置は、表示規定データに基づいて、端末装置の画面の解像度に合わせて調整された表示サイズで、変換画像データを含む複数の表示要素データを画面に表示する。
【００１５】
従って、表示内容が同じ表示規定データや画像データを予め端末装置の種類や動作環境等毎に複数用意しなくても、様々な端末装置の画面の解像度に合った表示サイズで且つ表示規定データが規定する表示レイアウトで複数の表示要素データを（画像データの場合は、変換画像データとして）表示させることができる。また、表示規定データが規定する画像データの表示サイズに相当する縦横の画素数と、変換画像データの縦横の画素数は一致するので、端末装置は、画像の拡大や縮小を行はなくとも、規定された表示レイアウト及び調整された表示サイズで画像データを表示することができる。
【００１６】
請求項２に記載の発明は、請求項１に記載の情報送信装置において、前記表示規定データ生成手段は、前記調整手段によって調整された前記画像データの前記表示サイズと、当該画像データを識別するための画像データ識別情報と、を示す情報を、当該画像データの前記指定情報中に設定して前記表示規定データを生成し、前記変換制御手段は、変換対象の前記画像データ及び変換後の縦横の画素数を、前記指定情報受信手段によって受信された前記指定情報に基づいて認識することを特徴とする。
【００１７】
この発明によれば、情報送信装置は、調整された画像データの表示サイズと、当該画像データを識別するための画像データ識別情報と、を示す情報を指定情報中に設定することで表示規定データを生成し、当該表示規定データを端末装置に送信しておき、端末装置から指定情報を受信したときに、当該指定情報に基づいて、送信すべき画像データの変換を画像変換装置に行わせるので、表示規定データは送信したものの、何らかの原因で端末装置から指定情報が送信されなかったときに、予め画像変換を行うことによる処理の無駄を省くことができる。
【００１８】
請求項３に記載の発明は、請求項２に記載の情報送信装置において、前記調整手段によって調整された前記画像データの表示サイズと、当該画像データの前記画像データ識別情報と、を含む変換情報を生成する変換情報生成手段と、前記生成された変換情報を識別するための変換識別情報を生成する変換識別情報生成手段と、前記生成された変換情報を前記生成された変換識別情報に対応付けて記憶手段に記憶させる記憶制御手段と、を更に備え、前記表示規定データ生成手段は、前記生成された変換識別情報を、当該変換識別情報が対応する前記画像データの前記指定情報中に設定して前記表示規定データを生成し、前記変換制御手段は、変換対象の前記画像データ及び変換後の縦横の画素数を、前記指定情報受信手段によって受信された前記指定情報に含まれる前記変換識別情報に対応する前記変換情報に基づいて認識することを特徴とする。
【００１９】
この発明によれば、情報送信装置は、調整された画像データの表示サイズと、当該画像データの画像データ識別情報と、を含む変換情報を、当該変換情報を識別するための変換識別情報に対応付けて記憶手段に記憶させ、端末装置から指定情報を受信したときに、指定情報に含まれる変換識別情報に対応する変換情報に基づいて、画像データの変換を画像変換装置に行わせるので、変換識別情報のデータサイズを変換情報のデータサイズよりも小さくすることで、表示規定データの送信に伴う通信量を削減させることができる。
【００２０】
請求項４に記載の発明は、請求項３に記載の情報送信装置において、前記変換識別情報生成手段は、前記生成された変換情報と同一内容の前記変換情報が前記記憶手段に記憶されている場合には、記憶されている当該同一内容の前記変換情報に対応する前記変換識別情報を取得し、前記表示規定データ生成手段は、前記取得された変換識別情報を前記指定情報中に設定することを特徴とする。
【００２１】
この発明によれば、情報送信装置は、表示内容が同じで且つ縦横の画素数が同じ変換情報については、同一の内容の変換識別情報を指定情報中に設定するので、端末装置が、画像データのキャッシュ機能を有する場合には、表示内容が同じで且つ縦横の画素数が同じ画像データについては、情報送信装置に画像データの要求を行わなくても、表示規定データで規定された表示サイズで画像データを表示することができるので、情報送信装置及び画像変換装置の処理負担を軽減させることができる。
【００２２】
請求項５に記載の発明は、請求項１に記載の情報送信装置において、前記画像変換装置によって生成された前記変換画像データを識別するための変換画像データ識別情報を生成する画像データ識別情報生成手段と、前記生成された変換画像データ識別情報に対応付けて前記変換画像データを記憶手段に記憶させる記憶制御手段と、を更に備え、前記表示規定データ生成手段は、前記生成された変換画像データ識別情報を、当該変換画像データ識別情報が対応する前記変換画像データの生成元の前記画像データの前記指定情報中に設定して前記表示規定データを生成し、前記変換画像データ送信手段は、前記受信された指定情報に含まれる前記変換画像データ識別情報に対応する前記変換画像データを前記記憶手段から取得し前記端末装置に送信することを特徴とする。
【００２３】
この発明によれば、情報送信装置は、生成された変換画像データの識別情報を指定情報中に設定して表示規定データを生成して端末装置に送信し、端末装置から指定情報を受信したときに、当該指定情報に含まれる識別情報に対応する変換画像データを取得して端末装置に送信する。
【００２４】
請求項６に記載の発明は、請求項１乃至５の何れか１項に記載の情報送信装置において、前記画像データのデータサイズを取得するデータサイズ取得手段を更に備え、前記変換制御手段は、前記画像データの画素数をｎ１、当該画像データのデータサイズをｓ１、当該画像データに基づいて生成される前記変換画像データの画素数をｎ２、当該変換画像データのデータサイズをｓ２とするとき、ｓ２≦ｓ１×（ｎ２／ｎ１）となるように、前記画像変換装置に前記変換画像データを生成させることを特徴とする。
【００２５】
この発明によれば、情報送信装置は、画像データのデータサイズが、その画素数に比例したサイズ以下となるように画像変換装置に変換を行わせるので、例えば、画像データの表示サイズは縮小したのに、その画像データの送信に要する通信量は、表示サイズの縮小分ほど減少しないという事態を防止することができる。
【００２６】
請求項７に記載の発明は、請求項１乃至６の何れか１項に記載の情報送信装置において、前記端末情報は、前記端末装置の種類を示す情報及び当該端末装置の動作環境を示す情報の少なくとも何れか一方を含み、前記画像変換制御手段は、前記端末情報に基づいて、前記端末装置が表示可能なデータフォーマットの前記変換画像データを前記画像変換手段に生成させることを特徴とする。
【００２７】
この発明によれば、端末装置が、予め複数のフォーマットの画像データを用意しなくとも、受信した変換画像データを表示することができないという事態を回避することができる。
【００２８】
請求項８に記載の発明は、請求項１乃至７の何れか１項に記載の情報送信装置において、前記表示規定データ生成手段は、前記取得された端末情報が示す画面の解像度に合わせて、前記取得された構造化データが規定する前記表示要素データの表示レイアウト及び表示サイズを調整することを特徴とする。
【００２９】
この発明によれば、端末情報が示す画面の解像度に合わせて、表示要素データの表示レイアウトを調整しつつ、表示サイズを調整する。
【００３０】
請求項９に記載の発明は、請求項１乃至８の何れか１項に記載の情報送信装置において、前記表示規定データ生成手段は、前記表示サイズとして、前記複数の表示要素データのうち前記画像データ以外の表示サイズを規定する前記表示規定データを生成することを特徴とする。
【００３１】
この発明によれば、情報送信装置は、画像データの表示サイズの規定を表示規定データ中に含めないが、端末装置に送信する変換画像データの縦横の画素数は、調整した表示サイズに相当する画素数であるので、端末装置は、表示サイズに関する情報がなくても、画面の解像度に合った表示サイズで画像データを表示することができる。
【００３２】
請求項１０に記載の発明は、請求項１乃至９の何れか１項に記載の情報送信装置において、前記構造化データは、ＸＭＬ（Extensible Markup Language）文書を含み、前記表示規定データは、ＨＴＭＬ（HyperText Markup Language）文書またはＸＨＴＭＬ（Extensible HyperText Markup Language）文書を含むものであり、前記指定情報は、ｉｍｇ要素のｓｒｃ属性に設定されるＵＲＩ（Uniform Resource Identifier）であることを特徴とする。
【００３３】
請求項１１に記載の発明は、画面に表示される表示情報を構成する複数の表示要素データを、当該複数の表示要素データの表示レイアウト及び表示サイズを規定し、且つ、当該複数の表示要素データに含まれる画像データを指定する指定情報を規定する表示規定データに基づいて画面に表示する端末装置と、前記端末装置に前記表示規定データと前記画像データとを送信する情報送信装置と、を含む情報送信システムであって、前記情報送信装置は、前記端末装置の画面の解像度を少なくとも示す端末情報を取得する端末情報取得手段と、前記複数の表示要素データの表示レイアウト及び表示サイズを構造的に規定し、且つ、前記指定情報を含む構造化データを取得する構造化データ取得手段と、前記取得された構造化データが規定する前記表示レイアウトで前記端末装置の画面に前記複数の表示要素データが表示されるよう、当該構造化データが規定する前記表示要素データの表示サイズを前記取得された端末情報に基づいて調整することによって、前記表示規定データを生成する表示規定データ生成手段と、前記画像データを、前記表示規定データ生成手段によって調整された当該画像データの前記表示サイズに相当する縦横の画素数の画像データとして所定の画像変換装置によって拡大変換または縮小変換させることによって、変換画像データを生成させる画像変換制御手段と、前記端末装置から前記表示規定データの要求を示す表示規定データ要求情報を受信する表示規定データ要求受信手段と、前記受信された表示規定データ要求情報に対応する前記表示規定データを前記端末装置に送信する表示規定データ送信手段と、前記表示規定データを受信した前記端末装置から、当該表示規定データに含まれる前記指定情報を受信する指定情報受信手段と、前記受信された指定情報に対応する前記変換画像データを前記端末装置に送信する変換画像データ送信手段と、を備え、前記端末装置は、前記表示規定データ要求情報を前記情報送信装置に送信する表示規定データ要求送信手段と、前記情報送信装置から前記表示規定データを受信する表示規定データ受信手段と、前記受信された表示規定データに含まれる前記指定情報を前記情報送信装置に送信する指定情報送信手段と、前記情報送信装置から前記変換画像データを受信する変換画像データ受信手段と、前記受信された表示規定データが規定する前記表示レイアウト及び表示サイズで、前記受信された変換画像データを含む前記複数の表示要素データを画面に表示する表示手段と、を備えることを特徴とする。
【００３４】
請求項１２に記載の発明は、画面に表示される表示情報を構成する複数の表示要素データを、当該複数の表示要素データの表示レイアウト及び表示サイズを規定し、且つ、当該複数の表示要素データに含まれる画像データを指定する指定情報を規定する表示規定データに基づいて画面に表示する端末装置に、前記表示規定データと前記画像データとを送信する情報送信装置に含まれるコンピュータを、前記端末装置の画面の解像度を少なくとも示す端末情報を取得する端末情報取得手段と、前記複数の表示要素データの表示レイアウト及び表示サイズを構造的に規定し、且つ、前記指定情報を含む構造化データを取得する構造化データ取得手段、前記取得された構造化データが規定する前記表示レイアウトで前記端末装置の画面に前記複数の表示要素データが表示されるよう、当該構造化データが規定する前記表示要素データの表示サイズを前記取得された端末情報に基づいて調整することによって、前記表示規定データを生成する表示規定データ生成手段、前記画像データを、前記表示規定データ生成手段によって調整された当該画像データの前記表示サイズに相当する縦横の画素数の画像データとして所定の画像変換装置によって拡大変換または縮小変換させることによって、変換画像データを生成させる画像変換制御手段、前記端末装置から前記表示規定データの要求を示す表示規定データ要求情報を受信する表示規定データ要求受信手段、前記受信された表示規定データ要求情報に対応する前記表示規定データを前記端末装置に送信する表示規定データ送信手段、前記表示規定データを受信した前記端末装置から、当該表示規定データに含まれる前記指定情報を受信する指定情報受信手段、及び前記受信された指定情報に対応する前記変換画像データを前記端末装置に送信する変換画像データ送信手段、として機能させることを特徴とする。
【００３５】
請求項１３に記載の発明は、画面に表示される表示情報を構成する複数の表示要素データを、当該複数の表示要素データの表示レイアウト及び表示サイズを規定し、且つ、当該複数の表示要素データに含まれる画像データを指定する指定情報を規定する表示規定データに基づいて画面に表示する端末装置に、前記表示規定データと前記画像データとを送信する情報送信装置における情報提供方法であって、前記端末装置の画面の解像度を少なくとも示す端末情報を取得する端末情報取得工程と、前記複数の表示要素データの表示レイアウト及び表示サイズを構造的に規定し、且つ、前記指定情報を含む構造化データを取得する構造化データ取得工程と、前記取得された構造化データが規定する前記表示レイアウトで前記端末装置の画面に前記複数の表示要素データが表示されるよう、当該構造化データが規定する前記表示要素データの表示サイズを前記取得された端末情報に基づいて調整することによって、前記表示規定データを生成する表示規定データ生成工程と、前記画像データを、前記表示規定データ生成工程において調整された当該画像データの前記表示サイズに相当する縦横の画素数の画像データとして所定の画像変換装置によって拡大変換または縮小変換させることによって、変換画像データを生成させる画像変換制御工程と、前記端末装置から前記表示規定データの要求を示す表示規定データ要求情報を受信する表示規定データ要求受信工程と、前記受信された表示規定データ要求情報に対応する前記表示規定データを前記端末装置に送信する表示規定データ送信工程と、前記表示規定データを受信した前記端末装置から、当該表示規定データに含まれる前記指定情報を受信する指定情報受信工程と、前記受信された指定情報に対応する前記変換画像データを前記端末装置に送信する変換画像データ送信工程と、を備えることを特徴とする。
【発明の効果】
【００３６】
本発明によれば、表示内容が同じ表示規定データや画像データを予め端末装置の種類や動作環境等毎に複数用意しなくても、様々な端末装置の画面の解像度に合った表示サイズで且つ表示規定データが規定する表示レイアウトで複数の表示要素データを（画像データの場合は、変換画像データとして）表示させることができる。また、表示規定データが規定する画像データの表示サイズに相当する縦横の画素数と、変換画像データの縦横の画素数は一致するので、端末装置は、画像の拡大や縮小を行はなくとも、規定された表示レイアウト及び調整された表示サイズで画像データを表示することができる。
【発明を実施するための最良の形態】
【００３７】
以下、本発明を実施するための最良の実施形態について、図面に基づいて説明する。なお、以下に説明する実施形態は、情報送信システムの一例として、情報提示システムに対して本発明を適用した場合の実施の形態である。
【００３８】
［１．第１実施形態］
［１．１  情報提示システムの構成及び概要機能］
先ず、図１等を参照して、第１実施形態に係る情報提示システムＳの構成及び概要機能について説明する。
【００３９】
図１は、第１実施形態に係る情報提示システムＳの概要構成例を示す図である。
【００４０】
図１に示すように、本実施形態に係る情報提示システムＳは、端末装置１と、情報送信装置の一例としてのサーバ装置２と、画像変換装置の一例としての画像変換サーバ装置３と、を含んで構成されている。
【００４１】
そして、端末装置１とサーバ装置２とは、通信手段としてのネットワーク４を介して相互にデータの送受信が可能（例えば、通信プロトコルにＴＣＰ／ＩＰ（Transmission Control Protocol/Internet Protocol）を用いて、相互にデータの送受信が可能）になっており、サーバ装置２は、当該ネットワーク４を介して接続された端末装置１からの要求に応じて表示情報の一例であるＷＥＢページを提供（送信）し、当該ＷＥＢページを端末装置１を通じてユーザに対して提示（例えば、当該ＷＥＢページに含まれるテキストや画像等の表示、及び音声の出力等）させるようになっている。なお、ネットワーク４は、例えば、インターネット、専用通信回線（例えば、ＣＡＴＶ（Community Antenna Television）回線）、移動体通信網（無線基地局等を含む）、及びゲートウェイ等により構築される。
【００４２】
端末装置１としては、例えばＰＣ、ＰＤＡ、携帯電話機（或いは、ＰＨＳ(Personal Handyphone System)）、ＳＴＢが接続されたテレビ受像機等の電子機器（電子デバイス）が該当し、本実施形態において、ユーザは、利用場所や利用状況に応じてこれらの種類の異なる電子機器を端末装置１として任意に選択することになる。
【００４３】
ここで、本実施形態におけるＷＥＢページの概要について説明する。
【００４４】
このＷＥＢページは、複数の表示要素データの一例としての複数の素材データから構成されるようになっており、更に、複数のＷＥＢページによって（複数のＷＥＢページが集まって）１のコンテンツ（例えば、小説、教育用テキスト、商品カタログ、書籍等）が構成されるようになっている。また、各素材データは、ユーザに対して提示されるべき文字、画像、動画等のデータ等からなる。
【００４５】
また、コンテンツの構造等は、ＸＭＬ（eXtensible Markup Language）によって記述された構造化データ（中間フォーマットデータ（基データ））により規定（定義）されるようになっている。
【００４６】
図２は、あるコンテンツの構造化データの一例を示す概念図である。
【００４７】
図２に示す構造化データの例では、大別して、状態保持層５１とレイアウト層５２とから構成されている。
【００４８】
状態保持層５１は、コンテンツ全体の構造を規定しており、例えば書籍でいえば目次に相当し、この例では、章（chapter）、節（section）、ページ（page）によりコンテンツの階層構造が規定されている。つまり、コンテンツにおける１つの章は複数の節からなり、１つの節は複数のページから構成されており、最下位層における各ページは、上述したＷＥＢページからなっている。また、状態保持層５１における章、節、及びページの各要素には、固有の識別情報である状態保持ＩＤ（id）が付加されている。この状態保持ＩＤが記憶されることで、ユーザが当該コンテンツをどこまで利用したかの状態が保持されることになる。
【００４９】
レイアウト層５２は、上述した各素材データの内容（例えば、ページ内に配置される文字、画像、映像等の内容であって、コンテンツを構成する意味上のかたまり）、及びその提示形式（言い換えれば、スタイル：例えば、当該素材データの表示形式（例えば、表示サイズ（表示エリアの大きさ）、表示位置等のレイアウト、文字のフォントサイズ及び色等のプロパティ））等を規定している。また、レイアウト層５２には、上記素材データの提示形式を端末装置１（つまり、端末装置１の動作環境、或いは、端末装置１の種類）に合った提示形式に調整するに当たっての制約条件（言い換えれば、調整限界）が規定されている。また、各素材データのうちユーザに対して提示される各素材データには、ユーザに対する提示の優先度を示す優先度情報（priority）が付加されるが、かかる優先度情報も、レイアウト層５２に規定されている。
【００５０】
［１．１−１．端末装置の構成及び概要機能］
次に、端末装置１の構成及び概要機能について説明する。
【００５１】
端末装置１は、上述したＰＣ、ＰＤＡ、携帯電話機、ＳＴＢが接続されたテレビ受像機等の全ての電子機器に共通の基本的な構成要素として、演算機能を有するＣＰＵ（Central Processing Unit），作業用ＲＡＭ（Random-Access Memory），ＲＯＭ（Read-Only Memory）等から構成された情報処理部（コンピュータ）と、各種プログラム及び各種データ等を記憶する記憶部（例えば、ＨＤＤ（Hard Disc Drive），又はＥＥＰＲＯＭ（Electrically Erasable Programmable Read Only Memory）等）と、ユーザからの操作指示を入力する操作部（例えば、キーボード，マウス，又は操作パネル（又はリモートコントローラ）等）と、画像や文字等の情報を表示する表示部（例えば、ＣＲＴ（Cathode-Ray Tube），又は液晶ディスプレイ等）と、音声を出力するスピーカと、サーバ装置２の通信部と協働しサーバ装置２との間の通信状態を制御する通信部と、を備えている。
【００５２】
また、全ての電子機器に共通にＲＯＭ又は記憶部に記憶される各種プログラムとして、ＯＳ（オペレーティングシステム）、及びアプリケーションソフト（ブラウザソフト（プログラム）、端末情報収集エージェントソフト（プログラム）等）がある。
【００５３】
端末装置１のＣＰＵによりブラウザ（例えば、ＷＥＢブラウザ）ソフトが実行されることによって、端末装置１は、サーバ装置２に接続して、上記コンテンツを構成するＷＥＢページを要求し、これに対しサーバ装置２から提供されたＷＥＢページをユーザに対して提示することになる。
【００５４】
また、端末装置１のＣＰＵにより端末情報収集エージェントソフト（以下、「プローブ」という）が実行されることによって、端末装置１は、当該端末装置１の動作環境を示す情報及び当該端末装置１の種類（例えば、ＰＣ、ＰＤＡ、携帯電話機、ＳＴＢが接続されたテレビ受像機等の電子機器の種類）を示す情報の少なくとも何れか一方を含む端末情報を収集、取得し、サーバ装置２に提供（送信）することになる。また、プローブは、例えばサーバ装置２から端末装置１にダウンロードされるようにしてもよいし、例えば、ＣＤ−ＲＯＭ、メモリカード等の記録媒体に記録されて端末装置１に読み込まれるようにしてもよい。
【００５５】
ここで、当該端末装置１が、１０フィートＵＩ（User Interface）（機器の操作を１０フィート（約３ｍ）程度離れてリモコンで行うことを想定したユーザ・インターフェイス）端末である場合、当該１０フィートＵＩ端末であることを示す情報が、上記端末情報中に含まれることになる。
【００５６】
また、当該端末装置１の動作環境を示す情報には、例えば、ＣＰＵの種類、ＣＰＵの動作周波数（ＣＰＵの速度）、メモリ種類、メモリ容量、メモリスロット数、ＬＡＮボードの転送速度（ｂｐｓ）、グラフィックコントローラの情報、ビデオカードの情報、ディスプレイの画面解像度（表示画面サイズ）、ディスプレイの表現能力（文字数、色数等）、ネットワーク４における回線スピード（ｂｐｓ）、回線接続形態（ダイヤルアップ、ＡＤＳＬ、光ケーブル等）、インストールされるソフトウェアの種類（例えば、ＯＳの種類、アプリケーションソフトの種類、ブラウザソフトの種類、プラグインソフト（ブラウザソフトの機能を追加、拡張するソフトであって、例えば、マルチメディア情報を閲覧するためのShockwaveやFlash Player（登録商標）、或いは、デジタル文書を閲覧するためのAcrobat Reader（登録商標）等がある）の種類）、当該ソフトウェアのバージョン等の情報が含まれる（もちろん、上記情報の一部であってもよいし、他の情報が含まれてもよい）。
【００５７】
このような端末装置１の動作環境を示す情報は、電子機器の種類によって異なる（もちろん、同じ種類の電気機器であっても異なる場合もある）。例えば、ＰＣと携帯電話機では、周知の通り、ＣＰＵの動作周波数、メモリ容量、ディスプレイの有効画面サイズ、ディスプレイの表現能力、ＯＳの種類、及びブラウザソフトの種類が異なるし、ＰＣのブラウザソフトにはプラグインソフトを組み込めるが、携帯電話機のブラウザソフトにはプラグインソフトを組み込めない等の点で異なっている。
【００５８】
［１．１−２．サーバ装置の構成及び概要機能］
次に、サーバ装置２の構成及び概要機能について説明する。
【００５９】
サーバ装置２は、図１に示すように、演算機能を有するＣＰＵ，作業用ＲＡＭ，ＲＯＭ等から構成された情報処理部（コンピュータ）２１と、各種プログラム及び各種データ等を記憶するＨＤＤ等から構成された記憶部２２と、端末装置１の通信部と協働し端末装置１との間の通信状態を制御する通信部２３と、を備えており、情報処理部２１は、例えば記憶部２２に記憶された、本発明の情報提供処理プログラム等を実行することにより、セッション管理部２１ａ及び端末情報取得手段としての端末情報取得部２１ｂ、構造化データ取得手段、表示規定データ要求受信手段及び表示規定データ生成手段としてのコンテンツ構成部２１ｃ、表示規定データ送信手段としてのコンテンツ提示部２１ｄ及び画像変換制御手段、指定情報受信手段、変換画像データ送信手段、変換情報生成手段、変換識別情報生成手段、記憶制御手段及びデータサイズ取得手段としての画像制御部２１ｅとして機能するようになっている。
【００６０】
なお、情報提示処理プログラムは、例えばインターネット上の所定のサーバからサーバ装置２にダウンロードされるようにしてもよいし、例えば、ＣＤ−ＲＯＭ等の記録媒体に記録されて当該記録媒体のドライブを介してサーバ装置２に読み込まれるようにしてもよい。
【００６１】
また、上記記憶部２２には、上述したユーザ情報をユーザ毎に区別して記憶（登録）するユーザデータベース（ＤＢ）２２ａ、及び各コンテンツの構造化データ及び当該構造化データ内で指定される実体データ（例えば、画像データ、映像データ、音声データ等）等を記憶するコンテンツデータベース（ＤＢ）２２ｂ、端末装置１に提供する画像データの変換規則等を規定する変換パラメータを記憶する画像変換パラメータデータベース（ＤＢ）２２ｃ等が構築されている。
【００６２】
セッション管理部２１ａは、ユーザデータベース２２ａを用いたログイン処理（認証処理）、及びログイン後の当該通信セッションの管理を行うようになっている。また、セッション管理部２１ａは、ログインしたユーザのユーザ情報をユーザデータベース２２ａから取得、保持するとともに、ユーザに対して提示された入力オブジェクトにユーザが入力したユーザ情報を、当該入力オブジェクトに付加されたデータＩＤと対応付けてユーザ毎に記憶するようになっている。
【００６３】
端末情報取得部２１ｂは、接続された端末装置１の端末情報を取得するようになっている。例えば、端末情報取得部２１ｂは、端末装置１がネットワーク４を介して接続してきた際に、プローブを当該端末装置１に配信し、これにより取得された端末情報を端末装置１から取得する。
【００６４】
コンテンツ構成部２１ｃは、あるページに対応する構造化データをコンテンツデータベース２２ｂから取得（抽出）し、端末情報取得部２１ｂにより取得された端末情報に基づいて、構造化データの記述形式を、端末装置１に合った記述形式に変換するようになっている。
【００６５】
また、コンテンツ構成部２１ｃは、端末情報に基づいて、取得した構造化データに規定された素材データの提示形式を、当該端末装置１に合った提示形式に調整するようになっている。
【００６６】
そして、コンテンツ構成部２１ｃは、提示形式が調整された構造化データをフォーマット変換して端末装置１に提供する表示規定データの一例としてのページデータを生成するようになっている。例えば、ＸＭＬで記述されたＸＭＬ文書からなる構造化データ（調整後）が、ＸＨＴＭＬ（eXtensible HyperText Markup Language）で記述されたＸＨＴＭＬ文書とＣＳＳ（Cascading Style Sheets）からなるページデータに変換される。周知の通り、ページデータには、ＷＥＢページの表示内容（如何なる素材データが表示されるか）が規定されるとともに、複数の素材データの表示レイアウト及び表示サイズが規定される。ここで、表示内容は、ＸＨＴＭＬ文書に規定され、表示レイアウト及び表示サイズは、主としてＣＳＳに規定される。
【００６７】
画像制御部２１ｅは、提示形式が調整された構造化データに基づいて、変換パラメータを画像変換パラメータＤＢ２２ｃに登録するようになっている。コンテンツ構成部２１ｃによって提示形式が調整されることによって、構造化データの規定上における画像データの表示サイズ（より具体的には、横のピクセル数（幅）と縦のピクセル数（高さ））が変更（調整）される。この構造化データから変換されたページデータに基づいて端末装置１がＷＥＢページを画面に表示すると、画像データは、前記調整後の表示サイズで表示される。画像制御部２１ｅは、この調整後の表示サイズに合った画像データ端末装置１に送信すべく、コンテンツＤＢ２２ｂに登録されているオリジナルの画像データを画像変換サーバ装置３に変換させるのである。そして、この変換に用いられる情報が変換パラメータである。
【００６８】
図３は、変換パラメータに設定される情報の一例を示す図である。なお、以降の説明においては、コンテンツＤＢ２２ｂに登録されている画像データを、「元画像データ」、変換された画像データ（画像変換サーバ装置３により生成された画像データ）を、「変換画像データ」と称する場合がある。
【００６９】
図３に示すように、変換パラメータには、キー、セッションＩＤ、変換対象画像名（画像識別情報の一例）、ファイル形式、幅、高さ、ファイルサイズ上限、登録日時が設定される。
【００７０】
キーは、変換パラメータを識別するための識別情報であり、当該キーとして、例えば、7桁の数値が設定される。
【００７１】
セッションＩＤは、ユーザがログインしてからログアウトするまでの、当該ユーザが利用する端末装置１とサーバ装置２との間の通信に対して付与されるＩＤである。
【００７２】
変換対象画像名は、端末装置１が要求したＷＥＢページを構成する元画像データのファイル名である。
【００７３】
ファイル形式は、変換後の画像データ（画像変換によって生成されべき変換画像データ）のファイル形式（例えば、ＪＥＰＧ（Joint Photographic Experts Group）形式、ＧＩＦ（Graphics Interchange Format）形式、ＰＮＧ（Portable Network Graphics）形式等）を示す情報である。元画像データは、通常ＪＰＥＧ形式でコンテンツＤＢ２２ｂに登録されているが、端末装置１の動作環境や種類によっては、端末装置１がＪＰＥＧ形式の画面表示に対応していない場合がある。その場合には、画像変換サーバ装置３が、画像データのファイル形式を、端末装置１が対応している表示可能な形式に変換する。
【００７４】
幅及び高さは、変換後の画像データの横のピクセル数及び縦のピクセル数である。この縦横のピクセル数は、コンテンツ構成部２１ｃによる調整後の画像データの表示サイズに一致する。なお、幅及び高さとしては、変換後の画像データの縦横のピクセル数を特定することができる情報（例えば、表示サイズの縮小率（または拡大率）等）であっても良い。
【００７５】
ファイルサイズ上限は、変換後の画像データのファイルサイズの上限値である。画像データの表示サイズが縮小すると、一般的に単位面積あたりにおける模様の複雑度や色数が増すので、単純に画像データの縮小変換を行うと、変換後の画像データのファイルサイズは表示サイズの縮小率ほど小さくはならない場合がある。場合によっては、変換前のファイルサイズより変換後のファイルサイズの方が大きくなることさえある。そうすると、画像データの表示サイズは小さくなっているのに、画像データを送受信するための通信量は余り減らないか、かえって大きくなるという事態が生じる。そこで、画像データのファイルサイズは、画像の表示面積（幅×高さ）に比例すべきという考え方から、変換前の画像データの表示サイズと変換後の画像データの表示サイズに基づいて、ファイルサイズの上限値が設定される。
【００７６】
登録日時は、変換パラメータが画像変換パラメータＤＢ２２ｃに登録された登録日である。変換パラメータは、登録された時点から一定の期間（例えば、１日等）が経過すると、画像制御部２１ｅによって削除される。
【００７７】
画像制御部２１ｅは、ページデータを受信した端末装置１から画像データ要求を受信すると、対応する変換パラメータに基づいて、画像変換サーバ装置３に画像データの変換を行わせる。そして、画像制御部２１ｅは、変換された画像データを、要求した端末装置１に送信する。
【００７８】
図４（Ａ）〜（Ｅ）は、コンテンツ構成部２１ｃにおける処理の流れの一例を示す概念図である。図４（Ａ）に示すように、“page1”の構造化データに規定された素材データ６１〜６５には、夫々、優先度を示す情報である“priority”が、例えば、０〜２の何れかの値で付加されている（本実施形態においては、０が最も優先度が高く、値が大きくなるにつれて優先度が低くなる）。なお、優先度を示す情報である“priority”は、０〜２に限定されるものはなく、例えば、０〜１０等にもっと細かく規定しても良い。
【００７９】
そして、図４（Ｂ）に示すように、“page1”の構造化データが取得され、端末情報に基づいて、構造化データの記述形式やスクリプト等が端末装置１に対応した形式やスクリプト等に変換される。
【００８０】
次いで、図４（Ｃ）に示すように、構造化データに規定された素材データ６１〜６５の提示形式が端末情報に基づき調整されている。この例における調整では、取得された端末情報に含まれる表示画面サイズに合わせて、素材データ６１（テキスト）が表示されるべき表示画面上におけるエリアが「１０２４（幅（width）（横方向））×７４３（高さ（height）（縦方向））ピクセル」から「６００（幅（width））×４００（高さ（height））ピクセル（px）」に変更（縮小）されると共に、素材データ６３（画像）が表示されるべき表示画面上におけるエリアが「４００（幅（width））×２００（高さ（height）ピクセル）」から「３００（幅（width））×１５０（高さ（height））ピクセル（px）」に変更（縮小）されるように提示形式が調整されている。更に、優先度が低い（ここでは、priority＝２）素材データ６２及び６４は削除されるように提示形式が調整されている。これは、端末装置の表示画面サイズが小さいことに起因して、表示サイズを小さくしつつ全ての素材データを表示させると、素材データが小さすぎてユーザが素材データの内容を識別することが難しくなる。そこで、優先度が低い素材データを削除することにより、比較的優先度が高い素材データの表示サイズが小さくなりすぎることを防止する。
【００８１】
画像データの表示サイズが調整されたので、変換パラメータの登録はこのときに行われる。
【００８２】
そして、図４（Ｄ）及び（Ｅ）に示すように、ＸＭＬで記述された構造化データに規定された素材データの内容に相当する部分がＸＨＴＭＬで記述され、素材データの提示形式に相当する部分がＣＳＳで記述されるように変換がなされている。
【００８３】
図５は、実際にＸＭＬで記述された構造化データの一例を示す図である。図６は、図５における提示形式制約記述部５２ａの記述例を、図７は、図５における提示内容記述部５２ｂの記述例を、夫々示す図である。
【００８４】
図５に示すように、状態保持層５１では、タグ（＜＞）内に、章（chapter）、節（section）、ページ（page）の夫々の状態保持ＩＤが記述されている（例えば、“page1”の状態保持ＩＤは、“001001001001”である）。
【００８５】
また、図５に示すように、レイアウト層５２（この例では、“page1”に対応）には、提示形式制約記述部５２ａ、及び提示内容記述部５２ｂが設けられている。提示形式制約記述部５２ａ、及び提示内容記述部５２ｂは、各素材データを、<div>により分割して階層構造化しており、互いに同じ木構造を有している。また、各素材データには、夫々固有の識別名(id=の後のコンマ″″内に相当する部分)が付与されている。このように意味上のかたまりである素材データを<div>により分割して管理することで、コンテンツ制作者がコンテンツを定義しやすく、且つ、サーバ装置２による提示形式の調整も効率良く行うことができる。
【００８６】
提示形式制約記述部５２ａには、各素材データの提示形式と、上記提示形式に調整するに当たっての各素材データの制約条件、各素材データの優先度情報、及び注釈等と、が規定されている。例えば、図６に示す符号８１部では、表示画面上における当該ページ全体（wrapper）の高さ（height）の初期値（default:743px）、縮小可能な高さの最小値(minimum:300px)、拡大可能な高さの最大値(maximum:960px)、及び１０フィートＵＩ端末の場合の高さの最小値(minimum_10feetUI:450px)、並びに幅（width）の初期値（default:1024px）、縮小可能な幅の最小値（minimum:400px）、拡大可能な幅の最大値(maximum:1280px)、及び１０フィートＵＩ端末の場合の幅の最小値(minimum_10feetUI:600px)等が規定されており、更に、優先度情報（priority=”0”）が規定されている。また、符号８２部では、当該ページ中に配置されるコンテンツヘッダ（content header）部分のエリアの高さ（height）の初期値（default:40px）、縮小可能な高さの最小値(minimum:20px)、拡大可能な高さの最大値(maximum:60px)、及び１０フィートＵＩ端末の場合の高さの最小値(minimum_10feetUI:30px)、並びに幅（width）の初期値（default:1024px）、縮小可能な幅の最小値（minimum:400px）、拡大可能な幅の最大値(maximum:1280px)、及び１０フィートＵＩ端末の場合の幅の最小値(minimum_10feetUI:600px)等が規定されており、更に、優先度情報（priority=”0”）が規定されている。また、符号８３部では、当該コンテンツヘッダ（content header）部分のエリアに表示される文字（p）のフォントサイズ（font-size）の初期値（default:30pt）、縮小可能なフォントサイズの最小値(minimum:21pt)、拡大可能なフォントサイズの最大値(maximum:40pt)、及び１０フィートＵＩ端末の場合のフォントサイズの最小値(minimum_10feetUI:25pt)等が規定されており、優先度情報（priority=”0”）が規定されている。
【００８７】
また、図６には示されてはいないが、提示形式制約記述部５２ａには、各素材データの表示レイアウト（ＷＥＢページ上における表示位置）が規定されている。
【００８８】
このような提示形式制約記述部５２ａに記述された内容がコンテンツ構成部２１ｃにより解釈され、ＷＥＢページを要求してきた端末装置１に合った（適した）提示形式に調整された上で、最終的にＣＳＳに記述されることになる。
【００８９】
図８は、端末情報及び提示形式制約記述部５２ａに記述された内容に基づき生成されたＣＳＳの記述例を示す図である。
【００９０】
なお、上記最小値(minimum)は、上記提示形式の調整において表示エリアの縮小、或いはフォントサイズの縮小が行われる場合に参照され、これ以下にならないように処理される。
【００９１】
また、上記最大値(maximum)は、上記提示形式の調整において表示エリアの拡大、或いはフォントサイズの拡大が行われる場合に参照され、これ以上にならないように処理される。
【００９２】
また、上記最小値(minimum_10feetUI)は、端末装置１が１０フィートＵＩ端末である場合の上記提示形式の調整において表示エリアの拡大、或いはフォントサイズの拡大が行われる場合に参照され、これ以上になるように（つまり、１０フィート離れて見る場合に最低限必要な表示エリアの大きさ）処理される。
【００９３】
提示内容記述部５２ｂは、各素材データの内容が規定されている。例えば、図７に示す符号９１部では、コンテンツヘッダ（content header）部分のエリアに実際に表示される文字（p）の内容（English Study Service）が規定されており、この内容は、最終的にＸＨＴＭＬに記述されることになる。
【００９４】
また、提示内容記述部５２ｂは、各素材データの表示レイアウトが規定されている。具体的には、提示内容記述部５２ｂにおける各素材データの内容の記述順で、ＷＥＢページ上における各素材データの位置関係が規定される。
【００９５】
構造化データをＸＭＬにて記述し、提示形式及びその制約条件等を上記のように提示形式制約記述部５２ａに、提示内容を提示内容記述部５２ｂに分離して夫々規定することで、より提示形式の調整（アダプテーション）を行いやすくすることができる。しかも、提示形式制約記述部５２ａに示すように、提示形式を規定するスタイルシートをＸＭＬで再定義することで、より効率良く調整（アダプテーション）を行うことができる。
【００９６】
なお、図６乃至図８では示してはいないが、画像データについても、提示形式制約記述部５２ａにその提示形式の初期値等が規定され、提示内容記述部５２ｂにその提示内容が規定される。そして、画像データの最終的な表示サイズ（表示領域の大きさ）を含む提示形式は、ＣＳＳに記述される。
【００９７】
コンテンツ提示部２１ｄは、以上のように生成されたページデータ（ＸＨＴＭＬとＣＳＳとから構成されるデータ）等を、ページデータを要求してきた端末装置１に対してネットワーク４を介して送信することにより、上記調整された提示形式でＷＥＢページをユーザに対して提示させることになる。
【００９８】
［１．１−３．画像変換サーバ装置の構成及び概要機能］
次に、画像変換サーバ装置３の構成及び概要機能について説明する。
【００９９】
画像変換サーバ装置３は、演算機能を有するＣＰＵ，作業用ＲＡＭ，ＲＯＭ等から構成された情報処理部（コンピュータ）と、各種プログラム及び各種データ等を記憶する記憶部（例えば、ＨＤＤ、ＥＥＰＲＯＭ等）と、ユーザからの操作指示を入力する操作部（例えば、操作パネル等）と、サーバ装置２の通信部と協働しサーバ装置２との間の通信状態を制御する通信部と、を備えている。
【０１００】
画像変換サーバ装置３の記憶部に記憶されるプログラムとして、所定のＯＳ、画像変換プログラム等がある。画像変換サーバ装置３のＣＰＵは、画像変換プログラムを読み出し実行することにより、画像制御部２１ｅからのパラメータに応じて画像データを変換するようになっている。具体的に、画像変換サーバ装置３のＣＰＵは、パラメータとして変換後の画像データの縦横のピクセル数（幅及び高さ）が指定された場合には、このピクセル数となるよう、元画像データの縮小変換または拡大変換を行い、変換画像データを生成する。また、画像変換サーバ装置３のＣＰＵは、パラメータとしてファイル形式が指定された場合には、指定されたファイル形式で変換画像データを生成する。また、画像変換サーバ装置３のＣＰＵは、パラメータとしてファイルサイズ上限が指定された場合には、生成する変換画像データのファイルサイズが、指定されたファイルサイズ上限以下となるよう、必要に応じて画像圧縮率を調整したり、色数を減らしたりする。そして、画像変換サーバ装置３のＣＰＵは、複数のパラメータが指定された場合には、各パラメータの値に従って、画像データの変換を行う。
【０１０１】
画像変換サーバ装置３の画像変換による変換画像データの画質は、一般的な端末装置１における画像の縮小・拡大表示による画質よりも劣化が少なく、また、画像変換の処理速度も速くなっている。
【０１０２】
［１．２  情報提示システムの動作］
次に、図９乃至１５を参照して、本実施形態に係る情報提示システムＳの動作例について説明する。
【０１０３】
図９は、第１実施形態に係る情報提示システムＳの処理の流れの一例を示すシーケンス図である。
【０１０４】
先ず、ユーザが、例えばＰＤＡを端末装置１として選択し、かかる端末装置１の操作部を操作してブラウザソフトを実行（起動）させサーバ装置２のサイトのＵＲＬ（Uniform Resource Locator）を指定すると、当該端末装置１がネットワーク４を介してサーバ装置２に接続し（通信セッションを確立）ソースを要求する（ステップＳ１）。これに応じ、サーバ装置２は、ユーザＩＤ入力画面データ（例えば、ページデータ）等を取得して（ステップＳ２）ネットワーク４を介して端末装置１に送信する（ステップＳ３）。
【０１０５】
こうして、端末装置１の表示部には、図示しないユーザＩＤ入力画面が表示されることになり、かかる画面上には、ユーザＩＤ及びパスワードの入力欄が設けられている。このような表示状態において、ユーザが操作部を操作して当該入力欄に自己のユーザＩＤ及びパスワードを入力し実行ボタンを指定（押下）すると、入力されたユーザＩＤ及びパスワードがネットワーク４を介してサーバ装置２に送信される（ステップＳ４）。
【０１０６】
サーバ装置２は、端末装置１から送信されたユーザＩＤ及びパスワードを受信し、ユーザ認証を実行、例えば、ユーザデータベース２２ａに当該ユーザＩＤ及びパスワードが登録されているか否かを判別し（ステップＳ５）、登録されている場合には、サーバ装置２は、新たなセッションＩＤを発行するとともに、ネットワーク４を介して端末装置１に対し、端末情報を要求する（ステップＳ６）。かかる要求に対し、端末装置１は、プローブを起動（実行）し、当該端末装置１の端末情報を収集し（ステップＳ７）、ネットワーク４を介してサーバ装置２に送信する（ステップＳ８）。
【０１０７】
こうして、サーバ装置２（端末情報取得部２１ｂ）は、端末装置１から送信された端末情報を受信、取得する。続いて、サーバ装置２（セッション管理部２１ａ）は、当該ユーザＩＤが示すユーザのユーザ情報をユーザデータベース２２ａから取得する（ステップＳ９）。
【０１０８】
こうして、取得された端末情報及びユーザ情報は、ＲＡＭ等に一旦記憶されることになる。
【０１０９】
次に、サーバ装置２（コンテンツ構成部２１ｃ）は、コンテンツの所定ページに対応する構造化データ（例えば、１章１節１ページ目の構造化データ）を、コンテンツデータベース２２ｂからＤＯＭ（Document Object Model）ツリーとして取得する（ステップＳ１０）。
【０１１０】
次に、サーバ装置２（コンテンツ構成部２１ｃ）は、端末情報取得部２１ｂにより取得された端末情報に基づいて、構造化データの記述形式を、当該端末装置１に合った記述形式に変換する（ステップＳ１１）。
【０１１１】
次に、サーバ装置２（コンテンツ構成部２１ｃ）は、端末情報取得部２１ｂにより取得された端末情報に基づいて、記述形式が変換された構造化データに規定された素材データの提示形式を、当該端末装置１に合った提示形式に調整する（ステップＳ１２）。具体的に、サーバ装置２は、構造化データが規定する素材データの表示レイアウトを維持しつつ、同じく構造化データが規定する素材データの表示サイズを、端末装置１の画面解像度に合った表示サイズに調整する。このとき、サーバ装置２は、表示サイズに調整によって、素材データの表示サイズが、その最小値(minimum)を下回らないように、優先度の低い素材データの表示を削除する。このように、サーバ装置２は、必要に応じて、素材データの表示レイアウトも調整する。
【０１１２】
次に、サーバ装置２（画像制御部２１ｅ）は、提示形式が調整された構造化データに基づいて変換パラメータを画像変換パラメータＤＢ２２ｃに登録する画像変換パラメータ付与処理を実行する（ステップＳ１３）。なお、かかる画像変換パラメータ付与処理の詳細は後述する。
【０１１３】
次に、サーバ装置２（コンテンツ構成部２１ｃ）は、提示形式が調整された構造化データをフォーマット変換し、端末装置１に送信すべきページデータを構成する（ステップＳ１４）。
【０１１４】
そして、サーバ装置２（コンテンツ提示部２１ｄ）は、構成したページデータをネットワーク４を介して端末装置１に送信する（ステップＳ１５）。
【０１１５】
端末装置１（ブラウザ）は、受信したページデータに基づき、画像データを除くＷＥＢページを画面に表示するとともに、ページデータのＸＨＴＭＬ文書に記述されたｉｍｇ要素のｓｒｃ属性に設定されているＵＲＬをリクエストＵＲＬとする画像データ要求をサーバ装置２に送信する（ステップＳ１６）。なお、詳細は後述するが、このｉｍｇ要素のｓｒｃ属性に設定されているＵＲＬには、表示すべき画像データに対応する変換パラメータのキーが設定されている。
【０１１６】
サーバ装置２（画像制御部２１ｅ）は、端末装置１から送信された画像データ要求に対応して、画像変換サーバ装置３に画像データの変換を行わせ、これによって生成された変換画像データを端末装置１に送信する、画像変換配信処理を実行する（ステップＳ１７）。この画像変換配信処理によって、サーバ装置２は、要求された画像データから変換された画像データを端末装置１に送信する（ステップＳ１８）。なお、かかる画像変換配信処理の詳細は後述する。
【０１１７】
端末装置１（ブラウザ）は、受信した画像データを、画面に表示されたＷＥＢページ上の対応する表示エリアに表示する。このとき、画像データの幅及び高さと表示エリアの幅及び高さは一致するので、端末装置１は、画像データの表示に際して、拡大表示も縮小表示も行わない。
【０１１８】
そして、ユーザが、端末装置１の操作部を操作することにより別のページのＵＲＬを指定すると、端末装置１は、当該ＵＲＬをリクエストＵＲＬに設定した新たなページデータの要求をサーバ装置２に送信する（ステップＳ１９）。サーバ装置２は、ページデータの要求を受信すると、ステップＳ１０〜Ｓ１８と同様の処理を行うことにより、要求されたページデータ及び画像データを端末装置１に送信する。
【０１１９】
次に、サーバ装置２の画像変換パラメータ付与処理（ステップＳ１３）の動作例について説明する。
【０１２０】
図１０及び図１１は、第１実施形態に係るサーバ装置２の画像変換パラメータ付与処理の流れの一例を示すフローチャートである。また、図１２は、提示形式が調整されたある構造化データの提示形式制約記述部の一例を示す図である。また、図１３は、提示形式が調整されたある構造化データの提示内容記述部の一例を示す図である。また、図１４は、図１３における提示内容記述部の一部の記述内容が書き換わった後の提示内容記述部の一例を示す図である。
【０１２１】
図１２に示すように、提示形式が調整されたある構造化データの提示形式制約記述部には、符号１０１及び１０２に示されるように、画像データの提示形式が２通り規定されている。
【０１２２】
符号１０１部では、div要素のid属性として"img"が設定されていることで、画像データの提示形式等が規定されていることを示している。そして、当該div要素のname属性には"#footer.box img"が設定されている。ここで、"#"の後の"footer"は、符号１０１部で規定された提示形式が適用されるdiv要素のid属性値を示し、また、"."の後の"box"は、div要素のclass属性を示している。なお、"#"は、id属性を示す符号であり、"."は、class属性を示す符号である。また、最後の"img"は、符号１０１部で規定された提示形式が適用される要素としてimg要素が指定されていることを示している。このname属性の値によって、id属性が"footer"であるdiv要素と、class属性が"box"であるdiv要素と、に囲まれたid要素（フッターのボックス表示部分の画像データ）に対して、符号１０１部で規定された提示形式が適用されることとなる。そして、符号１０１部では、画像データの高さの初期値、高さの最小値、幅の初期及び幅の最小値として、20px、6px、800px及び240pxが規定されている。
【０１２３】
符号１０２部では、div要素のid属性として"mokuji"が設定されていることで、ページの目次部分の提示形式等が規定されていることを示している。そして、当該div要素のname属性には".mokuji"が設定されている。これはつまり、class属性が"mokuji"であるdiv要素に囲まれた要素に対して、符号１０２部で規定された提示形式が適用されることとなる。そして、符号１０２部では、画像データの高さの初期値、高さの最小値、幅の初期及び幅の最小値として、40px、16px、250px及び100pxが規定されている。
【０１２４】
一方、図１３に示すように、前記ある構造化データの提示内容記述部には、ページのタイトル部分（id属性が"title-area"であるdiv要素で囲まれた部分）の提示内容を規定する符号１１０部と、ページのフッターのボックス表示部分（id属性が"footer"であるdiv要素と、class属性が"box"であるdiv要素で囲まれた部分）の提示内容を規定する符号１２０部と、が記述されている。
【０１２５】
符号１１０部には、img要素１１１とimg要素１１２とが記述されている。img要素１１１には、class属性及びsrc属性が記述されている。このimg要素１１１のclass属性は"mokuji"となっている。また、img要素１１２には、id属性及びsrc属性が記述されている。このimg要素１１２のid属性は"link_howto"となっている。一方、符号１２０部には、img要素１２１が記述されている。img要素１２１には、src属性は記述されているが、id属性及びclass属性の何れも記述されてはない。なお、各img要素のsrc属性には、それぞれ表示すべき画像データのＵＲＬ（指定情報の一例）が記述されている。
【０１２６】
図１０に示すように、画像変換パラメータ付与処理が開始されると、画像制御部２１ｅは、提示形式が調整された提示形式制約記述部から、id属性が"img"であるdiv要素を全て取得する（ステップＳ１０１）。かかるdiv用を取得するための問い合わせ文をＸＰａｔｈ（XML Path Language）で記述すると、
/page/page_div/page_header/page_stylecontrol//div[@id='img']
となる。例えば、図１２に示す提示形式制約記述部からは、符号１０１部が取得される。画像制御部２１ｅは、div要素を取得すると、取得したdiv要素のうち最初のdiv要素を選択する。
【０１２７】
次いで、画像制御部２１ｅは、選択しているdiv要素のname属性、heightプロパティ（name属性が"height"であるproperty要素）の値（高さの初期値）及びwidthプロパティ（name属性が"width"であるproperty要素）の値（幅の初期値）を取得する（ステップＳ１０２）。例えば、符号１０１部の例では、name属性、heightプロパティ及びwidthプロパティとして、"#footer.box img"、20px及び800pxが取得される。
【０１２８】
次いで、画像制御部２１ｅは、提示内容記述部から、ステップＳ１０２で取得されたname属性に対応するimg要素を全て取得する（ステップＳ１０３）。例えば、name属性が"#footer.box img"である場合に、img要素を取得するための問い合わせ文を記述すると、
/page/page_div/page_body/*[@id=‘footer’]//*[@class=‘box’]//img
となる。この例では、図１３に示す提示内容記述部からは、img要素１２１が取得される。画像制御部２１ｅは、img要素を取得すると、取得したimg要素のうち最初のimg要素を選択する。
【０１２９】
次いで、画像制御部２１ｅは、選択しているimg要素がid属性またはclass属性を有するか否かを判定する（ステップＳ１０４）。このとき、画像制御部２１ｅは、img要素がid属性またはclass属性を有する場合には（ステップＳ１０４：ＹＥＳ）、当該img要素については、図１１で示すステップＳ１５１〜Ｓ１６２で処理するので、ステップＳ１１１に移行する。
【０１３０】
一方、画像制御部２１ｅは、img要素がid属性及びclass属性の何れも有さない場合には（ステップＳ１０４：ＮＯ）、img要素のsrc属性に基づいて、変換対象となる画像データの画像名、幅、高さ、ファイルサイズ及びファイル形式を取得する（ステップＳ１０５）。具体的に、画像制御部２１ｅは、src属性に設定されているＵＲＬの画像データのファイル名の部分から画像名を取得する。また、画像制御部２１ｅは、取得した画像名でコンテンツＤＢ２２ｂにアクセスし、変換対象の画像データのメタ情報やファイル管理情報等から当該画像データのファイル形式、幅、高さ及びファイルサイズを取得する。
【０１３１】
次いで、画像制御部２１ｅは、変換パラメータを生成する（ステップＳ１０６）。具体的に、画像制御部２１ｅは、図９に示すステップＳ５で取得されたセッションＩＤを、変換パラメータのセッションＩＤとして設定する。また、画像制御部２１ｅは、ステップＳ１０５で取得された画像名を変換パラメータの変換対象画像名として設定する。また、画像制御部２１ｅは、端末情報に基づいて、端末装置１に合ったファイル形式を、変換パラメータのファイル形式として設定する。また、画像制御部２１ｅは、ステップＳ１０２で取得されたwidthプロパティ及びheightプロパティの値を、変換パラメータの幅及び高さとして設定する。
【０１３２】
また、画像制御部２１ｅは、ステップＳ１０５で取得したファイルサイズ（変換前の画像データのファイルサイズ）をｓ１とし、ステップＳ１０５で取得した幅及び高さ（変換前の画像データの幅及び高さ）をｗ１及びｈ１とし、ステップＳ１０２で取得したwidthプロパティ値及びheightプロパティ値（変換後の画像データの幅及び高さ）をｗ２及びｈ２とした場合において、ファイルサイズ上限Ｓ２を以下の式で求める。
【０１３３】
Ｓ２＝Ｓ１×（（ｗ２×ｈ２）／（ｗ１×ｈ１））
画像制御部２１ｅは、求めたＳ２を、変換パラメータのファイルサイズ上限として設定する。また、画像制御部２１ｅは、現在日時を、変換パラメータの登録日時として設定する。
【０１３４】
画像制御部２１ｅは、このようにして変換パラメータを生成すると、この変換パラメータの内容と同一内容（キー及び登録日時を除く）の変換パラメータが既に画像変換パラメータＤＢ２２ｃに登録されているか否かを判定する（ステップＳ１０７）。このとき、画像制御部２１ｅは、同一内容の変換パラメータが登録されていない場合には（ステップＳ１０７：ＮＯ）、新たなキーを発行し、当該キーを、生成した変換パラメータに対応付けて画像変換パラメータＤＢ２２ｃに登録する（ステップＳ１０８）。
【０１３５】
一方、画像制御部２１ｅは、同一内容の変換パラメータが登録されている場合には（ステップＳ１０７：ＹＥＳ）、既に登録されている同一内容の変換パラメータから、設定されているキーを取得する（ステップＳ１０９）。
【０１３６】
画像制御部２１ｅは、ステップＳ１０８またはＳ１０９の処理を終えると、選択しているimg要素のsrc属性の値を、ステップＳ１０８で発行したキーまたはステップＳ１０９で取得したキーの値で書き換える（ステップＳ１１０）。例えば、img要素１２１の場合には、図１４に示すように、src属性が、例えば、“GetImage?key=1234567”に書き換えられる。ここで、"GetImage"は、画像変換サーバ装置３のドメイン名であり、"1234567”は、キーの値である。
【０１３７】
画像制御部２１ｅは、選択しているimg要素がid属性またはclass属性を有する場合（ステップＳ１０４：ＹＥＳ）、または、ステップＳ１１０の処理を終えると、現在選択しているimg要素が、ステップＳ１０３で取得した全てのimg要素の最後のimg要素であるか否かを判定する（ステップＳ１１１）。このとき、画像制御部２１ｅは、現在選択しているimg要素が最後のimg要素ではない場合には（ステップＳ１１１：ＮＯ）、取得したimg要素の中から次のimg要素を選択して（ステップＳ１１２）、ステップＳ１０４に移行する。
【０１３８】
一方、画像制御部２１ｅは、現在選択しているimg要素が最後のimg要素である場合には（ステップＳ１１１：ＹＥＳ）、現在選択しているdiv要素が、ステップＳ１０１で取得した全てのdiv要素の最後のdiv要素であるか否かを判定する（ステップＳ１１３）。このとき、画像制御部２１ｅは、現在選択しているdiv要素が最後のdiv要素ではない場合には（ステップＳ１１３：ＮＯ）、取得したdiv要素の中から次のdiv要素を選択して（ステップＳ１１４）、ステップＳ１０２に移行する。
【０１３９】
一方、画像制御部２１ｅは、現在選択しているdiv要素が最後のdiv要素である場合には（ステップＳ１１３：ＹＥＳ）、図１１に示すように、提示内容記述部から、id属性またはclass属性を有するimg要素を全て取得する（ステップＳ１５１）。かかるdiv用を取得するための問い合わせ文を記述すると、
/page/page_div/page_body//img[@class or @id]
となる。例えば、図１３に示す提示内容記述部からは、img要素１１１及びimg要素１１２が取得される。画像制御部２１ｅは、img要素を取得すると、取得したimg要素のうち最初のimg要素を選択する。
【０１４０】
次いで、画像制御部２１ｅは、id属性値またはclass属性値のうち、選択しているimg要素が有する属性値を取得する（ステップＳ１５２）。例えば、img要素１１１からは、class属性値として"mokuji"が取得され、img要素１１２からは、id属性値として"link_howto"が取得される。
【０１４１】
次いで、画像制御部２１ｅは、提示形式制約記述部から、取得したid属性値またはclass属性値に対応するdiv要素を取得する（ステップＳ１５３）。例えば、class属性として"mokuji"が取得された場合に、div要素を取得するための問い合わせ文を記述すると、
/page/page_div/page_header/page_stylecontrol//div[@id='" + mokuji +"']
となる。この例では、図１２に示す提示形式制約記述部からは、符号１０２部が取得される。画像制御部２１ｅは、div要素を取得すると、取得したdiv要素のうち最初のdiv要素を選択する。
【０１４２】
次いで、画像制御部２１ｅは、選択しているdiv要素のheightプロパティ値及びwidthプロパティ値を取得する（ステップＳ１５４）。
【０１４３】
次いで、画像制御部２１ｅは、ステップＳ１０５〜Ｓ１１０と同様にして、src属性に基づく各種情報の取得、変換パラメータの生成、キーの発行と変換パラメータの登録またはキーの取得、src属性値の書き換えを実行する（ステップＳ１５５〜Ｓ１６０）。この結果、例えば、img要素１１１の場合には、図１４に示すように、src属性が、例えば、“GetImage?key=2345678”に書き換えられる。また、img要素１１２の場合には、src属性が、例えば、“GetImage?key=3456789”に書き換えられる。
【０１４４】
次いで、画像制御部２１ｅは、現在選択しているimg要素が、ステップＳ１５１で取得した全てのimg要素の最後のimg要素であるか否かを判定する（ステップＳ１６１）。このとき、画像制御部２１ｅは、現在選択しているimg要素が最後のimg要素ではない場合には（ステップＳ１６１：ＮＯ）、取得したimg要素の中から次のimg要素を選択して（ステップＳ１６２）、ステップＳ１５２に移行する。
【０１４５】
一方、画像制御部２１ｅは、現在選択しているimg要素が最後のimg要素である場合には（ステップＳ１６１：ＹＥＳ）、画像変換パラメータ付与処理を終了させる。
【０１４６】
次に、サーバ装置２の画像変換配信処理（ステップＳ１７）の動作例について説明する。
【０１４７】
図１５は、第１実施形態に係るサーバ装置２の画像変換配信処理の流れの一例を示すフローチャートである。
【０１４８】
サーバ装置２が画像データ要求を受信すると、画像制御部２１ｅは、画像変換サーバ装置３のリバースプロキシとして機能し、画像変換配信処理を開始させる。
【０１４９】
先ず、画像制御部２１ｅは、画像データ要求に設定されているリクエストＵＲＬからキー値を取得する（ステップＳ２０１）。
【０１５０】
次いで、画像制御部２１ｅは、画像変換パラメータＤＢ２２ｃから、取得したキー値に対応する変換パラメータを取得する（ステップＳ２０２）。
【０１５１】
次いで、画像制御部２１ｅは、取得した変換パラメータに基づいて、画像変換サーバ装置３に対して画像データの変換を要求する（ステップＳ２０３）。具体的に、画像制御部２１ｅは、変換パラメータに設定されている変換対象画像名で特定される元画像データをコンテンツＤＢ２２ｂから取得し、当該元画像データを画像変換サーバ装置３に入力するとともに、変換パラメータに設定されているファイル形式、幅、高さ及びファイルサイズ上限をパラメータとして画像変換サーバ装置３に入力する。画像変換サーバ装置３は、入力されたパラメータに従って元画像データを変換し、変換画像データを生成する。
【０１５２】
画像制御部２１ｅは、変換画像データが生成されると、当該変換画像データを画像変換サーバ装置３から取得する（ステップＳ２０４）。そして、画像制御部２１ｅは、取得した変換画像データを端末装置１に送信して（ステップＳ２０５）、画像変換配信処理を終了させる。
【０１５３】
以上説明したように、本実施形態によれば、サーバ装置２の情報処理部２１は、取得した端末情報が示す端末装置１の画面解像度に合ったサイズで、且つ、取得された構造化データが規定する表示レイアウトで、端末装置１の画面に複数の素材データが表示されるよう、構造化データが規定する素材データの表示サイズを調整することによって、ページデータを生成し、複数の表示要素に含まれる画像データを、その調整された表示サイズ（高さ及び幅）に相当する縦横の画素数の画像データとして画像変換サーバ装置３に拡大変換または縮小変換させることによって、変換画像データを生成させ、ページデータを受信した端末装置１から、当該ページデータに含まれるimg要素のsrc属性に設定されたＵＲＬを含む画像データ要求を受信すると、当該画像データ要求に含まれるＵＲＬに対応する変換画像データを端末装置に送信する。そして、端末装置１は、ページデータに基づいて、端末装置１の画面の解像度に合わせて調整された表示サイズで、変換画像データを含む複数の素材データを画面に表示する。
【０１５４】
従って、表示内容が同じページデータや画像データを予め端末装置１の種類や動作環境等毎に複数用意しなくても、様々な端末装置１の画面の解像度に合った表示サイズで且つページデータが規定する表示レイアウトで、複数の素材データを表示させることができる。また、ページデータが規定する画像データの表示サイズに相当する縦横の画素数と、変換画像データの縦横の画素数は一致するので、端末装置１は、画像の拡大や縮小を行わなくとも、規定された表示レイアウト及び調整された表示サイズで画像データを表示することができる。
【０１５５】
また、情報処理部２１は、調整した画像データの表示サイズと、当該画像データを識別するための画像データ識別情報と、を示す情報を指定情報中に設定することでページデータを生成し、当該ページデータを端末装置１に送信しておき、端末装置１から画像データ要求を受信したときに、当該画像データ要求に含まれるＵＲＬに基づいて、送信すべき画像データの変換を画像変換サーバ装置３に行わせるので、ページデータは送信したものの、何らかの原因で端末装置１から画像データ要求が送信されなかったときに、予め画像変換を行うことによる処理の無駄を省くことができる。
【０１５６】
また、情報処理部２１は、調整した画像データの表示サイズと、当該画像データの画像データ識別情報と、を含む変換パラメータを、当該変換パラメータを識別するためのキーに対応付けて記憶部２２に記憶させ、端末装置１から画像データ要求を受信したときに、画像データ要求に含まれるＵＲＬに設定されているキーに対応する変換パラメータに基づいて、画像データの変換を画像変換サーバ装置３に行わせるので、キーのデータサイズを変換パラメータのデータサイズよりも小さくすることで、変換パラメータの内容を直接img属性のsrc属性のＵＲＬ中に設定する場合と比較して、ページデータの送信に伴う通信量を少なくすることができる。
【０１５７】
また、情報処理部２１は、内容（画像名、ファイル形式、幅、高さ及びファイル上限）が同じ変換パラメータについては、同一のキーをimg要素のsrc属性のＵＲＬに設定するので、端末装置１側で使用するブラウザソフトが、画像データ等のキャッシュ機能を有する場合には、表示内容が同じで且つ縦横の画素数が同じ画像データについては、サーバ装置２に画像データの要求を行わなくても、ページデータで規定された表示サイズで画像データを表示することができるので、情報処理部２１及び画像変換サーバ３の処理負担を軽減させることができる。
【０１５８】
また、情報処理部２１は、画像データのデータサイズが、その画素数に比例したサイズ以下となるように画像変換サーバ３に変換を行わせるので、例えば、画像データの表示サイズは縮小したのに、その画像データの送信に要する通信量は、表示サイズの縮小分ほど減少しないという事態を防止することができる。
【０１５９】
また、予め複数のファイル形式の画像データを用意しなくとも、端末装置１が対応可能なファイル形式の画像データに変換されるので、端末装置１が、受信した変換画像データを表示することができないという事態を回避することができる。
【０１６０】
なお、本実施形態においては、変換パラメータをキーに対応付けて画像変換パラメータＤＢ２２ｃに登録し、当該キーをimg要素のsrc属性のＵＲＬに設定するようにしていたが、例えば、画像変換パラメータＤＢ２２ｃへの登録を行わずに、変換パラメータの内容（画像名、ファイル形式、幅、高さ、ファイルサイズ上限）をimg要素のsrc属性のＵＲＬに設定し、端末装置１から受信した画用データ要求に含まれているリクエストＵＲＬ中の各パラメータに基づいて、画像変換サーバ３に変換を行わせてもよい。ただし、この場合は、キーを用いるよりもＵＲＬのデータサイズが大きくなるので、その分ページデータの通信量は増加する。
【０１６１】
［２．第２実施形態］
次に、第２実施形態について説明する。
【０１６２】
上記説明した第１実施形態において、サーバ装置２は、ページデータを送信後、端末装置１から画像データ要求を受信したときに、送信すべき画像データの変換を行っていたが、以下に説明する第２実施形態においては、端末装置１からページデータの要求を受信し、構造化データの提示形式の調整を行ったときに、画像データの変換を行うようになっている。
【０１６３】
［２．１  サーバ装置の構成及び概要機能］
先ず、図１６を参照して、第２実施形態に係るサーバ装置２ａの構成及び概要機能について説明する。
【０１６４】
図１６は、第２実施形態に係る情報提示システムＳＳの概要構成例を示す図である。
【０１６５】
図１６に示すように、本実施形態に係る情報提示システムＳＳは、第１実施形態に係る情報提示システムＳと同様に、端末装置１と、サーバ装置２と、画像変換サーバ装置３と、を含んで構成されており、端末装置１とサーバ装置２とは、ネットワーク４を介して相互にデータの送受信が可能となっている。また、端末装置１の構成及び機能と、画像変換サーバ装置３の構成及び機能とは、第１実施形態の場合と同様である。
【０１６６】
本実施形態に係るサーバ装置２ａの構成は、記憶部２２に画像変換パラメータＤＢ２２ｃが構築されていない点において、第１実施形態に係るサーバ装置２の構成と異なっており、その他の点においてはサーバ装置２の構成と同様である。
【０１６７】
このような構成のサーバ装置２ａにおいて、情報処理部２１の画像制御部２１ｅは、提示形式が調整された構造化データに基づいて、画像データの変換を画像変換サーバ３に行わせ、変換された画像データ（変換画像データ）を記憶部２２に記憶するようになっている。
【０１６８】
また、画像制御部２１ｅは、ページデータを受信した端末装置１から画像データ要求を受信すると、対応する変換画像データを記憶部２２から取得し、当該変換画像データを端末装置１に送信するようになっている。
【０１６９】
なお、記憶部２２に記憶された変換画像データは、記憶された時点から一定の期間（例えば、１日等）が経過すると、画像制御部２１ｅによって削除される。
【０１７０】
［２．２  情報提示システムの動作］
次に、図１７乃至１９を参照して、本実施形態に係る情報提示システムＳＳの動作例について説明する。
【０１７１】
図１７は、第２実施形態に係る情報提示システムＳＳの処理の流れの一例を示すシーケンス図であり、同図において、図９と同様の要素については同様の符号を付してある。
【０１７２】
図１７に示すように、ステップＳ１〜Ｓ１２の動作については、第１実施形態の場合と同様である。ステップＳ１２において構造化データの提示形式の調整が行われた後、サーバ装置２ａ（画像制御部２１ｅ）は、提示形式が調整された構造化データに基づいて、画像データの変換を画像変換サーバ装置３に行わせる画像変換制御処理を実行し、構造化データの提示内容記述部に記述されているimg要素のsrc要素に設定されているＵＲＬを、変換後の画像データ（変換画像データ）を指定するように書き換える（ステップＳ２１）。なお、画像変換制御処理の詳細は後述する。
【０１７３】
その後、ステップＳ１４〜Ｓ１６の動作については、第１実施形態の場合と同様である。ステップＳ１６において、画像データ要求が端末装置１からサーバ装置２ａに送信されると、サーバ装置２ａ（画像制御部２１ｅ）は、画像データ要求に設定されているリクエストＵＲＬが示す変換画像データを、記憶部２２から取得し（ステップＳ２２）、当該変換画像データを端末装置１に送信する（ステップＳ１８）。その後の動作は、第１実施形態の場合と同様である。
【０１７４】
次に、サーバ装置２ａの画像変換制御処理（ステップＳ２１）の動作例について説明する。
【０１７５】
図１８及び図１９は、第２実施形態に係るサーバ装置２の画像変換制御処理の流れの一例を示すフローチャートであり、同図において、図１０または図１１と同様の要素については同様の符号を付してある。図１８及び図１９に示すように、画像変換制御処理は、第１実施形態に係る画像変換パラメータ付与処理と、処理内容が一部共通している。
【０１７６】
図１８に示すように、ステップＳ１０１〜Ｓ１０５の処理は、第１実施形態に係る画像変換パラメータ付与処理と同様である。画像制御部２１ｅは、ステップＳ１０５において、変換対象となる画像データの画像名、幅、高さ、ファイルサイズ及びファイル形式を取得すると、ステップＳ１０２及びＳ１０５において取得した情報に基づいて、画像変換サーバ装置３に対して画像データの変換を要求する（ステップＳ１２１）。具体的に、画像制御部２１ｅは、端末情報に基づいて、端末装置１に合ったファイル形式を画像変換サーバ装置３に入力するファイル形式として特定する。また、画像制御部２１ｅは、図１０に示すステップＳ１０６と同様に、ファイルサイズ上限値を求める。そして、画像制御部２１ｅは、Ｓ１０５において取得した画像名で特定される元画像データをコンテンツＤＢ２２ｂから取得し、当該元画像データを画像変換サーバ装置３に入力するとともに、特定したファイル形式、ステップＳ１０２において取得したwidthプロパティ及びheightプロパティ、求めたファイルサイズ上限値をパラメータとして画像変換サーバ装置３に入力する。画像変換サーバ装置３は、入力されたパラメータに従って元画像データを変換し、変換画像データを生成する。
【０１７７】
画像制御部２１ｅは、変換画像データが生成されると、当該変換画像データを画像変換サーバ装置３から取得する（ステップＳ１２２）。
【０１７８】
次いで、画像制御部２１ｅは、取得した変換画像データを、元画像データの画像名とは異なる画像名（変換画像データ識別情報の一例）で記憶部２２に記憶させる（ステップＳ１２３）。このときの画像名は、既に記憶されている変換画像データの画像名とは重ならないように決定される。
【０１７９】
次いで、画像制御部２１ｅは、選択しているimg要素のsrc属性の値のファイル名の部分を、変換画像データの画像名に書き換える（ステップＳ１２４）。
【０１８０】
その後、ステップＳ１１１〜Ｓ１１４及び図１９に示すステップＳ１５１〜Ｓ１５５の処理は、第１実施形態に係る画像変換パラメータ付与処理と同様である。
【０１８１】
画像制御部２１ｅは、ステップＳ１５５において、変換対象となる画像データの画像名、幅、高さ、ファイルサイズ及びファイル形式を取得すると、ステップＳ１２１〜Ｓ１２４と同様にして、画像データの変換の要求、変換画像データの取得及び記憶、並びにsrc属性値の書き換えを実行する（ステップＳ１７１〜Ｓ１７４）。その後、ステップＳ１６１及びＳ１６２の処理は、第１実施形態に係る画像変換パラメータ付与処理と同様である。
【０１８２】
以上説明したように、本実施形態によれば、情報処理部２１は、構造化データの提示形式を調整したときに、画像データの変換を画像変換サーバ装置３に行わせ、提示内容記述部のimg要素のsrc属性のＵＲＬの画像データの画像名の部分を、生成された変換画像データの画像名に書き換えてページデータを生成して端末装置１に送信し、端末装置１から画像データ要求を受信したときに、当該画像データ要求報に含まれるリクエストＵＲＬに対応する変換画像データを取得して端末装置１に送信する。
【０１８３】
従って、表示内容が同じページデータや画像データを予め端末装置１の種類や動作環境等毎に複数用意しなくても、様々な端末装置１の画面の解像度に合った表示サイズで且つページデータが規定する表示レイアウトで、複数の素材データを表示させることができる。また、ページデータが規定する画像データの表示サイズに相当する縦横の画素数と、変換画像データの縦横の画素数は一致するので、端末装置１は、規定された表示サイズで画像データを表示するために画像の拡大や縮小を行う必要がない。
【０１８４】
なお、上記説明した各実施形態においては、ページデータの記述言語として、ＸＨＴＭＬが用いていたが、例えば、ＨＴＭＬを用いても良い。また、複数の素材データの表示レイアウト及び表示サイズは、例えば、ＨＴＭＬ文書中に直接規定しても良い。
【０１８５】
また、上記各実施形態においては、画像データの表示サイズをページデータ（ＣＳＳ）で規定するようにしていたが、サーバ装置２から送信される画像データの表示サイズは、調整された表示サイズと一致することから、端末装置１は、画像の拡大縮小を行うことなく表示しても問題はないので、画像データの表示サイズをページデータで規定しなくても良い。
【０１８６】
また、上記各実施形態においては、指示情報としてＵＲＬを適用していたが、例えば、ＵＲＮ（Uniform Resource Name）を適用しても良い。
【０１８７】
また、上記各実施形態においては、画像変換サーバ装置３をサーバ装置２の外部に設けていたが、画像変換サーバ装置３をサーバ装置２に内蔵させても良い。また、画像変換サーバ装置３を設ける代わりに、当該画像変換サーバ装置３の画像変換機能を実現するためのプログラムを記憶部２２に記憶させ、サーバ装置２の情報処理部２１が、当該プログラムを読み出し実行することにより、画像変換を行うようにして良い。
【０１８８】
また、端末情報を取得する方法は、上述したプローブによるものではなく、例えば、端末装置１からの要求に含まれるUser Agentから取得するようにしても良い。
【図面の簡単な説明】
【０１８９】
【図１】第１実施形態に係る情報提示システムの概要構成例を示す図である。
【図２】あるコンテンツの構造化データの一例を示す概念図である。
【図３】変換パラメータに設定される情報の一例を示す図である。
【図４】（Ａ）〜（Ｅ）は、コンテンツ構成部２１ｃにおける処理の流れの一例を示す概念図である。
【図５】実際にＸＭＬで記述された構造化データの一例を示す図である。図６は、図５における提示形式制約記述部５２ａの記述例を示す図である。
【図６】図５における提示形式制約記述部５２ａの記述例を示す図である。
【図７】図５における提示内容記述部５２ｂの記述例を示す図である。
【図８】端末情報及び提示形式制約記述部５２ａに記述された内容に基づき生成されたＣＳＳの記述例を示す図である。
【図９】第１実施形態に係る情報提示システムＳの処理の流れの一例を示すシーケンス図である。
【図１０】第１実施形態に係るサーバ装置２の画像変換パラメータ付与処理の流れの一例を示すフローチャートである。
【図１１】第１実施形態に係るサーバ装置２の画像変換パラメータ付与処理の流れの一例を示すフローチャートである。
【図１２】提示形式が調整されたある構造化データの提示形式制約記述部の一例を示す図である。
【図１３】提示形式が調整されたある構造化データの提示内容記述部の一例を示す図である。
【図１４】図１３における提示内容記述部の一部の記述内容が書き換わった後の提示内容記述部の一例を示す図である。
【図１５】第１実施形態に係るサーバ装置２の画像変換配信処理の流れの一例を示すフローチャートである。
【図１６】第２実施形態に係る情報提示システムＳＳの概要構成例を示す図である。
【図１７】第２実施形態に係る情報提示システムＳＳの処理の流れの一例を示すシーケンス図である。
【図１８】第２実施形態に係るサーバ装置２の画像変換制御処理の流れの一例を示すフローチャートである。
【図１９】第２実施形態に係るサーバ装置２の画像変換制御処理の流れの一例を示すフローチャートである。
【符号の説明】
【０１９０】
１  端末装置
２、２ａ  サーバ装置
２１  情報処理部
２１ａ  セッション管理部
２１ｂ  端末情報取得部
２１ｃ  コンテンツ構成部
２１ｄ  コンテンツ提示部
２１ｅ  画像制御部
２２  記憶部
２２ａ  ユーザデータベース
２２ｂ  コンテンツデータベース
２２ｃ  画像変換パラメータデータベース
２３  通信部
３  画像変換サーバ装置
４  ネットワーク
Ｓ、ＳＳ  情報処理システム
【図１】
2010097291.tif 000003
【図２】
2010097291.tif 000004
【図３】
2010097291.tif 000005
【図４】
2010097291.tif 000006
【図５】
2010097291.tif 000007
【図６】
2010097291.tif 000008
【図７】
2010097291.tif 000009
【図８】
2010097291.tif 000010
【図９】
2010097291.tif 000011
【図１０】
2010097291.tif 000012
【図１１】
2010097291.tif 000013
【図１２】
2010097291.tif 000014
【図１３】
2010097291.tif 000015
【図１４】
2010097291.tif 000016
【図１５】
2010097291.tif 000017
【図１６】
2010097291.tif 000018
【図１７】
2010097291.tif 000019
【図１８】
2010097291.tif 000020
【図１９】
2010097291.tif 000021